(57)【特許請求の範囲】
【請求項１】
入力軸と、遠心台座と、カウンターウェイト部材と、バランスカウンターウェイトとによって構成するオートトランスミッション偏心軸であって、
入力軸は原動機の動力の入力により回転し、入力軸の両側には二つの平面部が設けられ、
前記遠心台座は前記平面部に上下動可能に嵌合され、遠心台座と入力軸の間には弾性体が設けられ、
カウンターウェイト部材は前記遠心台座の一側に設けられ、カウンターウェイト部材は開閉可能な二つのカウンターウェイト本体を備えると共に、各カウンターウェイト本体に枢設部が設けられ、前記各カウンターウェイト本体に複数の当接部が形成され、前記当接部が前記入力軸の上側と下側にそれぞれ当接され、二つのピンがそれぞれ前記カウンターウェイト本体と遠心台座を貫通し、カウンターウェイト部材のカウンターウェイト本体の開閉に連動することによって遠心台座は入力軸に対して上下動し、
前記バランスカウンターウェイトは、二つを一組みとして前記カウンターウェイト部材の一側に設けられ、前記バランスカウンターウェイトと前記カウンターウェイト部材の枢設部はつなげられ、
前記カウンターウェイト部材には位置決め構造が設けられ、前記位置決め構造は、二つの固定部材と、固定部材間に設けられた弾性部材を備え、
前記入力軸の回転による遠心力の作用で前記カウンターウェイト本体が開き、前記弾性体が圧縮されると共に、前記位置決め構造の固定部材が内側へ圧縮されることを特徴とする、オートトランスミッション偏心軸。
【請求項２】
前記弾性部材は、異なる弾性係数を備えることを特徴とする、請求項１に記載のオートトランスミッション偏心軸。
【発明の詳細な説明】
【技術分野】
【０００１】
本発明は、連続可変トランスミッションメカニズムに関し、特に連続可変トランスミッションの正確性を制御することができるともに、トランスミッションの段数を増やすことができ、しかも、カウンターウェイト部材を元の状態に戻しやすくなり、大きな馬力に適用することができる、簡単に交換可能なオートトランスミッション偏心軸に関する。
【背景技術】
【０００２】
乗り物の中で、連続可変トランスミッションシステムは、次の世代のトランスミッションであり、走行の過程において、連続且つ段階なしの速度変化を行うことができ、スムーズな走行ができるとともに、燃料の節約になり、且つ構造が簡単で、メンテナンスがしやすく、車体自体の構造も簡略化することができ、車両の性能が向上するとともに、エネルギーの消耗を減らすことができる。また、連続可変トランスミッションシステムは、連続可変トランスミッションの特性を備えており、変速の過程において、従来のように車両の変速による振動が起こることがなく、優れた操作性と快適さを備えている。このため、連続可変トランスミッションシステムは、車両のトランスミッションシステムの中で、非常に大きな発展の潜在能力がある。
【発明の概要】
【発明が解決しようとする課題】
【０００３】
本発明は、連続可変トランスミッションの正確性を制御することができるとともに、トランスミッションの段数を増やすことができ、しかも、カウンターウェイト部材を元の状態に戻しやすくなり、大きな馬力に適用することができる、簡単に交換可能なオートトランスミッション偏心軸を提供することを目的とする。
【課題を解決するための手段】
【０００４】
本発明のオートトランスミッション偏心軸は、入力軸と、遠心台座と、カウンターウェイト部材と、バランスカウンターウェイトとによって構成する。前記入力軸は両側に二つの平面部が設けられ、前記遠心台座は前記平面部に上下動可能に嵌合され、遠心台座と入力軸の間には弾性体が設けられる。前記カウンターウェイト部材は前記遠心台座の一側に設けられ、カウンターウェイト部材は開閉可能な二つのカウンターウェイト本体を備えると共に、各カウンターウェイト本体に枢設部が設けられる。前記バランスカウンターウェイトは、二つを一組みとして前記カウンターウェイト部材の一側に設けられ、前記バランスカウンターウェイトと前記カウンターウェイト部材の枢設部はつなげられる。前記カウンターウェイト部材には位置決め構造が設けられ、前記位置決め構造は、二つの固定部材と、固定部材間に設けられた弾性部材を備える。この位置決め構造により、連続可変トランスミッションの正確性を制御することができるとともに、トランスミッションの変化の段数を増やすことができ、しかも、カウンターウェイト部材を元の状態に戻しやすくなる。前記各カウンターウェイト本体に複数の当接部が形成され、前記当接部が前記入力軸の上側と下側にそれぞれ当接され、二つのピンがそれぞれ前記カウンターウェイト本体と遠心台座を貫通する。前記入力軸の回転による遠心力の作用で前記カウンターウェイト本体が開き、前記弾性体が圧縮されると共に、前記位置決め構造の固定部材が内側へ圧縮される。
【図面の簡単な説明】
【０００５】
【図１】参考例１の分解斜視図である。
【図２】参考例１の位置決め構造の斜視図である。
【図３】参考例１の斜視図である。
【図４】参考例１の断面図である。
【図５】参考例１の動作を示した断面図である。
【図６】参考例２の断面図である。
【図７】参考例３の断面図である。
【図８】参考例４の断面図である。
【図９】参考例５の断面図である。
【図１０】参考例５の動作を示した断面図である。
【図１１】本発明の実施例を示すオートトランスミッション偏心軸の分解斜視図である。
【図１２】本発明の実施例を示すオートトランスミッション偏心軸の断面図である。
【図１３】本発明の実施例を示すオートトランスミッション偏心軸の動作を説明する断面図である。
【発明を実施するための形態】
【０００６】
図１と図３に示すように、参考例１のオートトランスミッション偏心軸は、入力軸１０と、遠心台座２０と、二つのカウンターウェイト部材３０、４０、複数のバランスカウンターウェイト５０とからなる。その内、カウンターウェイト部材３０、４０には、二つの位置決め構造６０、７０が設けられる。この位置決め構造６０、７０により、連続可変トランスミッションの正確性を制御することができるとともに、トランスミッションの段数を増やすことができ、しかも、カウンターウェイト部材を元の状態に戻しやすくなり、大きな馬力に適用することができる。
【０００７】
入力軸１０は、原動機に連動して回転し、入力軸１０にはカバー台座１１が設けられ、カバー台座１１の両側は平面部１２を備える。
【０００８】
遠心台座２０には開口部２１が設けられ、遠心台座２０は平面部１２に嵌合され、遠心台座２０は入力軸１０上で移動することができる。遠心台座２０と入力軸１０の間には弾性体１３が設けられ、遠心台座２０には外リング２２が設けられる。
【０００９】
カウンターウェイト部材３０、４０は、遠心台座２０の両側にそれぞれ設けられ、カウンターウェイト部材３０、４０には、それぞれ、開閉可能な枢設部３１、４１が設けられる。なお、カウンターウェイト部材３０には、遠心台座２０を貫通する二つの動力伝導部３２が設けられ、動力伝導部３２カウンターウェイト部材４０を貫通する。
【００１０】
バランスカウンターウェイト５０は、二つで一組として、カウンターウェイト部材３０、４０の一側にそれぞれ設けられる。バランスカウンターウェイト５０には、バランスカウンターウェイト部５１と牽引部５２とが設けられ、各バランスカウンターウェイト５０のバランスカウンターウェイト部５１と牽引部５２は交差するように設けられる。また、牽引部５２は、留め具５３を介して枢設部３１、４１につなげられる。
【００１１】
図１と図２に示すように、位置決め構造６０、７０には、カウンターウェイト部材３０、４０から延伸して形成された二つの固定部材６１、７１と、固定部材６１、７１の間に設けられた弾性部材６２、７２とが設けられる。弾性部材６２、７２は桶型であり、異なる弾性係数を備える。
【００１２】
図３と図４と図５に示すように、入力軸１０が原動機に連動して回転した時、バランスカウンターウェイト５０によってバランスが保たれ、さらに、カウンターウェイト部材３０、４０の遠心力の作用によって、カウンターウェイト部材３０、４０の上端は外に開き、動力伝導部３２はカバー台座１１を押して、それに遠心台座２０が連動し、外リング２２はカバー台座１１の平面部１２で上下に移動し、遠心台座２０が下に移動した時、弾性体１３はカバー台座１１へと圧縮され、外リング２２上に設けられた駆動盤（図示せず）と入力軸１０軸心に、偏心の大きさの自動調整が行われる。以上のように、入力軸１０が回転する時に生じた遠心力により、カウンターウェイト部材３０、４０は位置ずれが生じる。
【００１３】
また、カウンターウェイト部材３０、４０に遠心力による位置ずれが生じた時、位置決め構造６０、７０の固定部材６１、７１と弾性部材６２、７２には位置制限効果が生じる。固定部材６１、７１が内側に圧縮されると、それに伴って、弾性部材６２、７２の弾力の制限を受けることにより、カウンターウェイト部材３０、４０の外に開く範囲が大きくなりすぎるのを防ぐことができる。また、連続可変トランスミッションの正確性を制御することができるとともに、トランスミッションの段数を増やすことができ、しかも、カウンターウェイト部材３０、４０の遠心力による位置ずれ作用が消えた後に元の状態に戻しやすくなり、大きな馬力に適用することができる。
【００１４】
図６は、参考例２を示している。参考例２では、カウンターウェイト部材４０に設けられる位置決め構造７０ａの説明を行う。位置決め構造７０ａの固定部材７１ａには、凸柱７１１ａなどの取り付け部が設けられ、弾性部材７２ａは、固定部材７１ａの間に設けられるとともに異なる弾性係数をもつ二つの弾性部材７２１ａ、７２２ａを備え、弾性部材７２２ａの両端は、凸柱７１１ａにそれぞれ固定される。
【００１５】
図７は、参考例３を示す。位置決め構造７０ｂの固定部材７１ｂには凸柱７１１ｂが設けられ、弾性部材７２ｂは、異なる弾性係数をもつ二つの弾性部材７２１ｂ、７２２ｂを備え、弾性部材７２２ｂの両端は、凸柱７１１ｂにそれぞれ固定され、弾性部材７２１ｂは弾性部材７２２ｂの外部に被せられる。
【００１６】
図８は、参考例４を示している。位置決め構造７０ｃの固定部材７１ｃには凸柱７１１ｃが設けられ、弾性部材７２ｃは、両端から中央に向かって異なる弾性係数が形成され、弾性部材７２ｃの両端は、凸柱７１１ｃにそれぞれ固定される。
【００１７】
図９と図１０は、参考例５を示している。位置決め構造７０ｄの固定部材７１ｄの間の弾性部材７２ｄは、斜めにして設けられる。以上のような構造でも同様に、連続可変トランスミッションの正確性を制御することができるともに、トランスミッションの段数を増やすことができ、しかも、カウンターウェイト部材の遠心力による位置ずれ作用が消えた後に元の状態に戻しやすくなり、大きな馬力に適用することができる。
【００１８】
図１１と図１２は、本発明の実施例を示している。カウンターウェイト部材３０ａ、４０ａには、動力伝導部が設けられておらず、カウンターウェイト部材３０ａ、４０ａは二つのカウンターウェイト本体３１ａ、４１ａを備え、カウンターウェイト本体３１ａ、４１ａには枢設部３２ａ、４２ａが設けられ、枢設部３２ａは、留め具５３によってバランスカウンターウェイト５０の牽引部５２につなげられる。カウンターウェイト本体３１ａ、４１ａの対応する側には複数の当接部３３ａ、４３ａが設けられ、当接部３３ａ、４３ａは入力軸１０の上側と下側に当接する。また、二つのピン３４ａが、カウンターウェイト本体３１ａと、遠心台座２０ａと、カウンターウェイト本体４１ａとを貫通し、それにより、カウンターウェイト本体３１ａ、４１ａに遠心台座２０ａが連動する。
【００１９】
図１３に示すように、入力軸１０が回転する時、同様に、カウンターウェイト部材３０ａ、４０ａに遠心力の作用が生じ、カウンターウェイト本体３１ａ、４１ａが外に開く。また、カウンターウェイト本体３１ａ、４１ａは、当接部３３ａ、４３ａによって入力軸１０の上側と下側に当接し、それに遠心台座２０ａが連動し、外リング２２はカバー台座１１の平面部１２で上下に移動し、遠心台座２０が下に移動した時、弾性体１３はカバー台座１１へと圧縮され、外リング２２と入力軸１０軸心に、偏心の大きさの自動調整が行われる。
【符号の説明】
【００２０】
１０ 入力軸 
１１ カバー台座
１２ 平面部 
１３ 弾性体
２０ 遠心台座 
２１ 開口部
２２ 外リング 
３０ カウンターウェイト部材
３１ 枢設部 
３２ 動力伝導部
４０ カウンターウェイト部材 
４１ 枢設部
５０ バランスカウンターウェイト 
５１ バランスカウンターウェイト部
５２ 牽引部 
５３ 留め具
６０、７０ 位置決め構造 
６１、７１ 固定部材
６２、７２ 弾性部材 
２０ａ 遠心台座 
３０ａ カウンターウェイト部材 
３１ａ カウンターウェイト本体 
３２ａ 枢設部 
３３ａ 当接部 
３４ａ ピン 
４０ａ カウンターウェイト部材 
４１ａ カウンターウェイト本体 
４２ａ 枢設部 
４３ａ 当接部 
７０ａ 位置決め構造
７１ａ 固定部材 
７１１ａ 凸柱
７２ａ 弾性部材 
７２１ａ、７２２ａ 弾性部材 
７０ｂ 位置決め構造 
７１ｂ 固定部材 
７１１ｂ 凸柱 
７２ｂ 弾性部材 
７２１ｂ、７２２ｂ 弾性部材 
７０ｃ 位置決め構造 
７１ｃ 固定部材 
７１１ｃ 凸柱
７２ｃ 弾性部材 
７０ｄ 位置決め構造 
７１ｄ 固定部材 
７２ｄ 弾性部材
【図１】
0005421343.tif 000002
【図２】
0005421343.tif 000003
【図３】
0005421343.tif 000004
【図４】
0005421343.tif 000005
【図５】
0005421343.tif 000006
【図６】
0005421343.tif 000007
【図７】
0005421343.tif 000008
【図８】
0005421343.tif 000009
【図９】
0005421343.tif 000010
【図１０】
0005421343.tif 000011
【図１１】
0005421343.tif 000012
【図１２】
0005421343.tif 000013
【図１３】
0005421343.tif 000014